(57)【要約】      （修正有）【課題】相対湿度とは無関係に肌面を確実に冷却でき、ユーザーが激しく身体を動かすような場合でも冷却体を所定の装着位置に位置保持でき、一般的なユーザーが日常的に使用するのに好適な冷却体を備える被服を提供する。【解決手段】後ろ身頃２に冷却体２０を収容するポケット１９を設ける。後ろ身頃２は、下身頃１１と、下身頃１１の上縁に縫着される内上身頃１２と、内上身頃１２の外面を覆う外上身頃１３とで構成する。ポケット１９は、ポケット生地２１を内上身頃１２に縫着して形成し、ポケット１９の出入口２３に臨むポケット生地２１と後ろ身頃２との対向面に、出入口２３を開閉するファスナー２２を設ける。内上身頃１２を通気自在なメッシュ生地で形成し、さらに外上身頃１３の下部と、下身頃１１の上部との間に通気開口を形成して、後ろ身頃２の内面側と外面側を通気自在とする。【選択図】図１
0003155505.tif 000002
【実用新案登録請求の範囲】
【請求項１】
後ろ身頃（２）の襟ぐりに臨む身頃内面に、冷却体（２０）を収容するポケット（１９）が設けられており、
後ろ身頃（２）は、下身頃（１１）と、下身頃（１１）の上縁に縫着される内上身頃（１２）と、内上身頃（１２）の外面を覆う外上身頃（１３）とで構成されており、
ポケット（１９）は、ポケット生地（２１）を内上身頃（１２）に縫着して形成されており、
ポケット（１９）の出入口（２３）に臨むポケット生地（２１）と後ろ身頃（２）との対向面に、出入口（２３）を開閉するファスナー（２２）が設けられている冷却体を備える被服。
【請求項２】
内上身頃（１２）が通気自在なメッシュ生地で形成されており、
外上身頃（１３）の下部と、下身頃（１１）の上部との間に通気開口（１５）が形成されており、
後ろ身頃（２）の内面側と外面側とが、内上身頃（１２）と通気開口（１５）を介して通気自在に構成されている請求項１に記載の冷却体を備える被服。
【請求項３】
外上身頃（１３）の下部が下身頃（１１）に止め付けられており、
通気開口（１５）が、外上身頃（１３）の止付部（１４）で複数に区分されている請求項２に記載の冷却体を備える被服。
【請求項４】
ポケット生地（２１）がメッシュ生地で形成されており、
ポケット（１９）に収容した冷却体（２０）の肌面側の表面が、ポケット生地（２１）で受け止められている請求項２または３に記載の冷却体を備える被服。
【請求項５】
ポケット生地（２１）と内上身頃（１２）との対向面に面ファスナー（２２）が装着されており、
ポケット生地（２１）の肌面側に、面ファスナー（２２）より左右幅が大きなタグ（２４）の両端が固定されており、
タグ（２４）が面ファスナー（２２）を分離操作する摘みを兼ねている請求項２から４のいずれかに記載の冷却体を備える被服。
【考案の詳細な説明】
【技術分野】
【０００１】
本考案は、肌面を冷やして冷涼感を与えるための冷却体を備える被服に関する。
【背景技術】
【０００２】
この種の被服は、例えば特許文献１に公知である。そこでは、シャツ本体の後ろ身頃の上部中央にポケットを設け、このポケットに扁平な冷却体を出し入れできるようにしている。ポケットは、布地の表面は密に、布地の裏面は粗く編んだメッシュ生地で形成してあり、導水機能を備えている。冷却体は、吸水性繊維を含むわた状、あるいは不織布状の吸水性高分子繊維吸収体を冷却要素にして、その周囲を透湿透水性を有する布地でくるんで構成してある。
【０００３】
同様の被服は特許文献２にもみることができ、そこでは、襟ぐりに縫着される布ラベルを利用して、冷却体を面ファスナーやスナップで着脱できるようにしている。使用状態における冷却体は、襟にぶら下がった状態となる。
【０００４】
特許文献３には、内部に保冷材が収容してあるポケットを、脇の下、襟元、背中に着脱可能に装着した作業着が開示してある。ポケットは袋状に形成してあり、その上部の開口部分がスライドファスナーで開閉できるようになっている。作業着の脇の下、襟元、背中と、ポケットの装着面には、それぞれポケットを装着するための面ファスナーが縫着されている。
【先行技術文献】
【特許文献】
【０００５】
【特許文献１】特許第３５２５０６９号公報（請求項１、図２）
【特許文献２】特許第３５８１９８４号公報（段落番号００１６、図５）
【特許文献３】登録実用新案第３１１９９４３号公報（段落番号００２５、図２）
【考案の概要】
【考案が解決しようとする課題】
【０００６】
特許文献１のシャツによれば、冷却体に含浸した水が蒸発するときの気化熱によって、冷却体の近傍の肌面を冷却できる。また、袋状に形成したポケットの上部が開口してあるので、シャツを着用したままで冷却体をポケットに出し入れできる。しかし、冷却体に含浸した水の蒸発作用は相対湿度によって大きく変化し、とくに相対湿度が高い場合には蒸発作用が低下するため、高温多湿の使用環境において充分な冷却作用を発揮できない。また、ポケットの上部が常に開口した状態になっているので、シャツを着用したユーザーが飛び跳ね、あるは前屈みになるような場合など、大きな運動慣性力が作用する場合に、冷却体がポケットから脱落するおそれがある。
【０００７】
その点、特許文献２の被服では、冷却体を、布ラベルやラベル近傍の生地に面ファスナーやスナップで着脱するので、ユーザーが飛び跳ね、あるいは前屈みになるような場合であっても、冷却体が脱落することはない。さらに、特許文献３の作業着の場合には、ポケットを面ファスナーで脇の下、襟元、背中に貼り付けるので、ユーザーが激しく身体を動かすような場合でも、ポケットがずれ動くことはない。
【０００８】
しかし、特許文献２の被服では、冷却体を、布ラベルやラベル近傍の生地に面ファスナーなどで直接装着するので、冷却体の表面が直接肌面に触れるおそれがある。とくに、予め冷蔵庫で凍らせておいた冷却体を使用する場合に、肌面が過剰に冷やされて不快感を与えやすい。こうした事態を避けるには、肌着の外に被服を重ねて着込み、冷却体が直接肌面に触れるのを防ぐなど予防策を講じる必要がある。
【０００９】
特許文献３の作業着は、保冷材が収められたポケットを、被服の脇の下、襟元、背中に装着するので上半身を効果的に冷却できる。しかし、この種の作業着は各ポケットを被服の外面に装着するなど、実用的な機能を重視して構成してある。そのため、高温多湿の作業環境で体温を低下させる作業着として使用するのに問題はないが、一般的なユーザーが日常的に使用するにはデザイン的に問題があり、着用するのに大きなためらいがある。また、作業着の外面に装着したポケットが大きな面積を占めるので、身体の動きが制限されるのを避けられず、ゴルフやテニスなどのスポーツ用の被服としては適さない。
【００１０】
本考案の目的は、相対湿度とは無関係に肌面を冷却でき、しかもユーザーが激しく身体を動かすような場合でも、冷却体を所定の装着位置に位置保持できる冷却体を備える被服を提供することにある。本考案の目的は、冷却体が肌面に直接触れるのを防いで常に快適に使用でき、しかも、目立たない状態で冷却体を使用できる、一般的なユーザーが日常的に使用するのに好適な冷却体を備える被服を提供することにある。
【課題を解決するための手段】
【００１１】
本考案に係る冷却体を備える被服は、後ろ身頃２の襟ぐりに臨む身頃内面に、冷却体２０を収容するポケット１９が設けられている。後ろ身頃２は、下身頃１１と、下身頃１１の上縁に縫着される内上身頃１２と、内上身頃１２の外面を覆う外上身頃１３とで構成する。ポケット１９は、ポケット生地２１を内上身頃１２に縫着して形成する。ポケット１９の出入口２３に臨むポケット生地２１と後ろ身頃２との対向面に、出入口２３を開閉するファスナー２２を設ける。
【００１２】
内上身頃１２は通気自在なメッシュ生地で形成する。外上身頃１３の下部と、下身頃１１の上部との間に通気開口１５を形成する。後ろ身頃２の内面側と外面側とを、内上身頃１２と通気開口１５を介して通気自在に構成する。
【００１３】
外上身頃１３の下部を下身頃１１に止め付ける。通気開口１５は、外上身頃１３の止付部１４で複数に区分されている。
【００１４】
ポケット生地２１をメッシュ生地で形成する。ポケット１９に収容した冷却体２０の肌面側の表面を、ポケット生地２１で受け止める。
【００１５】
ポケット生地２１と内上身頃１２との対向面に面ファスナー２２を装着する。ポケット生地２１の肌面側に、面ファスナー２２より左右幅が大きなタグ２４の両端を固定する。タグ２４は面ファスナー２２を分離操作する摘みを兼ねている。
【考案の効果】
【００１６】
本考案の被服においては、下身頃１１と、内上身頃１２と、外上身頃１３とで後ろ身頃２を構成し、ポケット生地２１を内上身頃１２に縫着して、ポケット１９を後ろ身頃２の襟ぐりに臨んで設けるようにした。使用時には、予め凍らせておいた冷却体２０をポケット１９内に収容し、その出入口２３に設けたファスナー２２を閉じる。この状態の被服を着用すると、ポケット１９内の冷却体２０の冷熱で、うなじの下部の肌面を強制的に冷却して冷涼感を与えることができ、湿度が高い使用環境であっても確実に冷却作用を発揮して冷却できる。
【００１７】
また、ポケット生地２１を内上身頃１２に縫着して、これら両者１２・２１でポケット１９を構成し、内上身頃１２の外面を外上身頃１３で覆うと、ポケット生地２１の縫着線や冷却体２０の外郭線が、外部から明確に視認されるのを外上身頃１３で防止できる。これにより、ポケット１９に収容した冷却体２０が目立つのを防いで、冷却機能を備えていない通常の被服と同等の外観とデザイン性とが得られる。したがって、一般的なユーザーが違和感のない状態で日常的に使用するのに好適な、冷却体２０を備える被服とすることができる。使用状態において、ポケット１９に収容した冷却体２０で身体の動きが制限されることもなく、したがって、スポーツウエアとして好適な被服が得られる。
【００１８】
ポケット１９の出入口２３に臨むポケット生地２１と後ろ身頃２との対向面にファスナー２２を設けるので、出入口２３をファスナー２２で閉止しておくことにより、冷却体２０がポケット１９から飛び出したり滑り落ちたりするのを確実に防止できる。例えば、運動動作によって身体を大きく動かす際に、運動慣性力が冷却体２０に作用したとしても、冷却体２０がポケット１９の外へ飛び出したり滑り落ちたりするのを確実に防止できる。
【００１９】
内上身頃１２を通気自在なメッシュ生地で形成し、さらに、外上身頃１３の下部と下身頃１１の上部との間に通気開口１５を形成して、後ろ身頃２の内面側と外面側とを、内上身頃１２と通気開口１５を介して通気自在に構成すると、被服内部を効果的に換気できる。詳しくは、ユーザーが身体を動かすたびに、被服内に滞留した湿気を多く含む空気を流動させて、通気開口１５から効果的に排出できる。さらに、被服内の空気を排出することにより体温の上昇を抑止して、冷却体２０による冷却作用と併せて冷涼感を向上でき、被服を長い時間にわたって着用する場合にも快適さを持続できる。
【００２０】
外上身頃１３の下部を下身頃１１に止め付けて、外上身頃１３の止付部１４で通気開口１５を複数に区分すると、外上身頃１３の動きを止付部１４である程度規制しながら、複数の通気開口１５を介して被服内の空気の換気を行なえる。したがって、身体を大きく捻じったり、身体を前屈みにするような場合に、外上身頃１３の下部が大きくずれ動いて、被服の外観が乱れるのを防止できる。また、通気開口１５から吹き込む強風によって、外上身頃１３が大きく膨らんでバランスを崩すこともない。
【００２１】
ポケット生地２１をメッシュ生地で形成すると、被服の内面側空間とポケット１９内部との間の空気流動を抵抗なく行なえる。したがって、ポケット１９に収容した冷却体２０で冷やされた空気を肌面側へ効果的に流動させ、あるいは被服内に滞留した空気と冷却体２０との接触機会を多くして、肌面を効果的に冷却し冷涼感をさらに向上できる。しかも、冷却体２０の肌面側の表面をポケット生地２１で受け止めるので、被服の内側に肌着を着ていなかったとしても、冷却体２０の表面が肌面に直接接触するのを防いで、肌面が過剰に冷やされるのを防止できる。
【００２２】
ポケット生地２１の肌面側に、面ファスナー２２より左右幅が大きなタグ２４の両端を固定して、タグ２４が面ファスナー２２を分離操作する摘みを兼ねるようにすると、タグ２４を引っ張り操作するだけで、面ファスナー２２を簡便に分離できる。タグ２４を引っ張り操作すると、その両端が引っ張り方向へ引き寄せられて、タグ２４の全体が面ファスナー２２の左右幅を底辺とする三角形状に変形する。さらにタグ２４を引っ張り操作すると、面ファスナー２２の左右端が捲られて接合相手の面ファスナー２２から分離する。このとき、一対の面ファスナー２２は両側端から中央へ向かって徐々に分離する。したがって、タグ２４を引っ張るだけで、雌雄の面ファスナー２２の分離操作を簡便に行なえる。
【図面の簡単な説明】
【００２３】
【図１】本考案に係る冷却体を備える被服（ポロシャツ）の縦断正面図である。
【図２】ポロシャツの正面図である。
【図３】後ろ身頃の一部を破断したポロシャツの背面図である。
【図４】図３におけるＡ−Ａ線断面図である。
【考案を実施するための形態】
【００２４】
（実施例）  図１ないし図４は本考案の被服を半袖のポロシャツに適用した実施例を示す。図２においてポロシャツは、前身頃１と、後ろ身頃２と、両身頃１・２に縫着される左右一対の袖３・３と、これら三者の襟ぐりに沿って縫着される襟４で形成してある。
【００２５】
前身頃１の上部中央には打合せ部が設けてあり、ボタン５を着脱することにより打合せを開放し、あるいは閉じることができる。前身頃１と、後ろ身頃２の一部と、袖３、および襟４はそれぞれ、綿および合成繊維を素材とする通気性に優れた鹿の子生地で形成してある。前身頃１と袖３の縫着線を図２に符号６で示しており、後ろ身頃２と袖３の縫着線を図３に符号７で示している。前身頃１と後ろ身頃２とは脇線に沿って縫着されて、その下端側の一部が未縫着のままにしてある（図２参照）。
【００２６】
図３に示すように、後ろ身頃２は、その過半下部を占める下身頃１１と、下身頃１１の上縁１１ａに縫着される内上身頃１２と、内上身頃１２の外面を覆う外上身頃１３とで構成してある。下身頃１１および外上身頃１３が、前身頃１と同じ鹿の子生地で形成してあるのに対し、内上身頃１２はハニカムメッシュ生地（メッシュ生地）で形成してある。
【００２７】
外上身頃１３の下端縁１３ａは下身頃１１の上部外面に被さって、下身頃１１の上縁１１ａより下方に位置させてある。また、外上身頃１３の下端縁１３ａは、その中央部の左右２個所が下身頃１１に縫着してある。この縫着部（止付部）を図３に符号１４で示す。このように、外上身頃１３の下端縁１３ａの一部のみを下身頃１１に縫着することにより、縫着部１４と外上身頃１３の左右側縁との間に一対の通気開口１５が形成される。
【００２８】
上記のポロシャツを着用した状態において、皮膚温度の高いうなじの下部を冷却するために、後ろ身頃２の襟ぐりに臨む身頃内面にポケット１９を設け、その内部に冷却体（温度調節体）２０を収容できるようにしている。図１に示すようにポケット１９は、横長長方形状のポケット生地２１の下辺および左右側縁を内上身頃１２に縫着して形成してあり、内上身頃１２と協同して上向きに開口する収容空間を形成している。
【００２９】
ポケット生地２１は、内上身頃１２と同じハニカムメッシュ生地（メッシュ生地）を素材にして形成してあり、その上縁と内上身頃１２との対向面に、図４に示すようにポケット生地２１を内上身頃１２に止め付ける面ファスナー（ファスナー）２２が逢着してある。一対の面ファスナー２２を接合した状態においては、ポケット１９の出入口２３の中央部を閉じて、ポケット１９内に収容した冷却体２０が脱落するのを阻止できる。
【００３０】
ポケット生地２１の内面（肌面側）で、面ファスナー２２と対応する位置には、ポロシャツのメーカー名や商品名などが表示された布製のブランドタグ（タグ）２４の両端が逢着してある。また、ブランドタグ２４の下部には、ポロシャツのサイズを表示する、ふたつ折りにした布製のサイズタグ（タグ）２５が逢着してある。Ｔ字状に一体化された両タグ２４・２５は、一対の面ファスナー２２を解離するときの摘みとして利用することができ、サイズタグ２５を掴んで手前側へ引き寄せることにより、雌雄の面ファスナー２２を分離して出入口２３を開放できる。
【００３１】
図１に示すようにブランドタグ２４の左右長さは、面ファスナー２２の左右長さより大きく設定してある。そのため、サイズタグ２５を引っ張ると、ブランドタグ２４の両端がサイズタグ２５側へ引き寄せられ、さらにポケット生地２１側の面ファスナー２２の左右両端が捲りあげられる。そのため、ポケット生地２１側の面ファスナー２２は、内上身頃１２側の面ファスナー２２に対して、両側端から中央へ向かって徐々に分離することになり、したがって、雌雄の面ファスナー２２の分離操作を簡便に行なえる。
【００３２】
冷却体２０は、ジェル状の保冷材を、軟質樹脂シートで形成した扁平な袋２７に封入して矩形マット状に形成してあり、その縦横寸法は、ポケット１９の縦横寸法よりひと回り小さく設定してある。保冷材は、高分子吸収体に水を含ませたジェルからなり、冷蔵庫で凍らせて使用する。
【００３３】
上記構成のポロシャツを使用する場合には、凍らせた冷却体２０をポケット１９内に収容し、面ファスナー２２を接合して出入口２３を閉じておく。この状態のポロシャツを着用すると、冷却体２０がポケット生地２１を介してうなじの下部に臨むので、肌面を冷却体２０の冷熱で冷却して、冷涼感を与えることができる。また、肌面を冷却体２０で強制的に冷却するので、高温多湿の使用環境であっても冷却作用を確実に発揮できる。ポケット１９に収容した冷却体２０の肌面側の表面は、ハニカムメッシュ生地からなるポケット生地２１で覆われている。そのため、たとえポロシャツの内側に肌着を着込んでいなかったとしても、冷却体２０の表面が肌面に直接接触することはなく、したがって、肌面が過剰に冷やされるのを避けて適度に冷却できる。
【００３４】
ポロシャツを着用してゴルフやテニスを行なう状況では、ボールの打撃動作や、急激な飛び跳ね動作などによって、大きな運動慣性力が冷却体２０に作用することがある。こうした場合であっても、ポケット１９の出入口２３を面ファスナー２２で閉じ固定した状態に保持できるので、冷却体２０がポケット１９から飛び出したり滑り落ちたりするのを防ぐことができる。
【００３５】
上記の実施例では、後ろ身頃２を３個の生地パーツで構成して、下身頃１１と外上身頃１３との間の左右に通気開口１５を形成し、さらに内上身頃１２を通気抵抗のないハニカムメッシュ生地で形成した。このポロシャツによれば、ユーザーが身体を動かすたびに、背中とポロシャツとの間に滞留する、湿気を多く含む空気を通気開口１５から効果的に排出して、体温の上昇を抑止できるので、冷却体２０による冷却作用と併せて冷涼感を向上し、ポロシャツを常に快適に着用し続けることができる。
【００３６】
運動動作を行なっても筋肉の変形などが殆どない、うなじの下部に冷却体２０を配置するので、冷却体２０が運動動作や日常的な生活動作の邪魔になることはない。さらに、内上身頃１２に逢着したポケット１９の縫着線が外上身頃１３で覆われるので、注意深くみない限りは冷却体２０を使用していることを判別するのが難しく、冷却機能を備えていない通常のポロシャツと比べて遜色の無い外観と、デザイン性とが得られる。したがって、一般的なユーザーが日常的に使用するのに好適な、冷却体２０を備えたポロシャツとすることができる。
【００３７】
上記の実施例では、高分子吸収体に水を含ませたジェルを保冷材としたがその必要はない。例えば、氷温以下でも凍らないアルコール系の保冷材を軟質樹脂シートで形成した袋２７に密封して冷却体２０とすることができる。また、吸水性繊維を含むわた状、あるいは不織布状の吸水性高分子繊維吸収体を冷却要素にして、その周囲を透湿透水性を有する布地でくるんで冷却体２０とすることができる。その場合には、冷却要素に水を含浸させた状態で冷却体２０を凍らせることにより、実施例で説明した冷却体２０と同様の冷却機能を発揮することができる。
【００３８】
実施例で説明した冷却体２０は、使用環境の湿度が高い場合に袋２７の表面に結露が生じやすい。この結露した水滴を吸収するために、袋２７の表面を、綿などの吸水性繊維で形成した不織布や生地で覆うことができる。この場合の生地は、袋２７の表面が肌面に直接接触するのを防ぐことにも役立つ。肌面の緩やかな凹凸に沿わせるために、冷却体２０は袋２７の内部を複数の区画に区分して構成することができる。
【００３９】
ポケットおよび冷却体２０の外形は矩形である必要はなく、左右に長い帯状や、銀杏葉形状や、半円状など必要に応じて自由に設定できる。また、ポケット１９はうなじの下部に臨む位置であれば、その配置位置を自由に選定できる。さらに、うなじの下部に臨む複数箇所にポケット１９を設けて、冷却効果を向上することができる。ポケット生地２１を袋状に形成して、その周縁を内上身頃１２に逢着してポケット１９とすることができる。出入口２３はポケット１９の側面や、下面側に形成することができる。
【００４０】
ファスナー２２としては、面ファスナー以外にスナップファスナーやスライドファスナーを適用することができる。内上身頃１２およびポケット生地２１は、ハニカムメッシュ以外のメッシュ生地であってもよい。通気開口１５は、外上身頃１３の下縁１３ａに沿う２個所以上に設けることができる。外上身頃１３を短い紐を介して下身頃１１に止め付けて止付部１４を形成し、外上身頃１３の遊動を一部許すようにすることができる。あるいは、面ファスナーやスライドファスナーで外上身頃１３を下身頃１１に止め付けて、通気開口１５の開口幅を調整することができる。本考案は、ポロシャツ以外に、Ｔシャツやカッターシャツなどにも適用することができる。
【符号の説明】
【００４１】
１  前身頃
２  後ろ身頃
１１  下身頃
１２  内上身頃
１３  外上身頃
１４  縫着部
１５  通気開口
１９  ポケット
２０  冷却体
２１  ポケット生地
２２  ファスナー
【図１】
0003155505.tif 000003
【図２】
0003155505.tif 000004
【図３】
0003155505.tif 000005
【図４】
0003155505.tif 000006